(57)【要約】【課題】高温環境下におけるディスクのセンタリング精度を向上できるディスク駆動機構及び記録、または再生の性能向上を図れるディスクドライブ装置を提供する。【解決手段】ディスク駆動機構では、スリップ防止部材２２がゴムシート２４とその下面に貼り付けたＰＥＴシート２３との積層構造に構成され、ゴムシート２４がディスクＤ主面部側となるようにしてディスクテーブル本体１２のディスク搭載面の外周部に貼りつけられてなる。【選択図】　図２
2004079107.tif 000002
【特許請求の範囲】
【請求項１】
ディスクを支持するためのディスクテーブルと、
前記ディスクテーブルにディスクをクランプ支持するためのクランプ部材と、
前記ディスクテーブルを回転させるディスクモータと、
前記ディスクテーブルのディスク搭載面外周部に付設した、前記ディスクのスリップを防止するためのスリップ防止部材と
を備えたディスク駆動機構において、前記スリップ防止部材は、弾性部材の下面にその弾性部材よりも硬い部材を貼り合わせた積層構造とし、且つ前記弾性部材をディスク側に配置してなることを特徴とするディスク駆動機構。
【請求項２】
前記スリップ防止部材は、前記弾性部材がゴムシートからなり、前記硬い部材がＰＥＴシートからなることを特徴とする請求項１記載のディスク駆動機構。
【請求項３】
請求項１記載のディスク駆動機構を備えたディスクドライブ装置。
【発明の詳細な説明】
【０００１】
【発明の属する技術分野】
本発明は、ディスク駆動機構、及びディスクドライブ装置に関する。
【０００２】
【従来の技術】
ディスクに対して情報信号の記録、または再生を行うディスクドライブ装置においては、ディスクを回転させるディスク駆動機構を有している。
【０００３】
このようなディスク駆動機構は、一般に、図６乃至図８に示すように構成されている。
【０００４】
図６はディスク駆動機構の構成を示す斜視図、図７は図６の断面図、図８はディスクがディスクテーブルに支持された状態を示した断面図である。
【０００５】
図６乃至図８に示すように、ディスク駆動機構は、ディスクモータ１００の回転軸に取り付けられ、ディスクＤを支持するためのディスクテーブル１０１と、このディスクテーブル１０１に前記ディスクＤを圧接するためのディスククランパ１０６とを備え、前記ディスクＤは、ディスクテーブル１０１上にて前記ディスククランパ１０６との間で狭持され固定されるようになっている。
【０００６】
ところで、従来のディスク駆動機構は、図３及び図４に示すような構造になっている。
【０００７】
図３は従来のディスク駆動機構の構成を示す断面図、図４はディスクＤをディスクテーブル１０１とディスククランパ１０６によって狭持した状態の要部を示す拡大断面図である。
【０００８】
図３及び図４に示すように、ディスクモータ１００の回転軸１００ａの上端部には、ディスクテーブル１０１が嵌合固定されている。
【０００９】
前記ディスクテーブル１０１のディスクテーブル本体１０２のディスク搭載面の外周部には、ディスクＤをスリップすることなく安定した状態で保持する目的で、大きな摩擦係数を有するリング状のスリップ防止部材としての単一のゴムシート１０４が貼り付けられている。
【００１０】
また、前記ディスクテーブル本体１０２の上部には、ディスクチャッキング用のマグネット１０５が装着されている。一方、ディスククランパ１０６には、吸着板１０７が付設されている。なお、前記ディスクＤが前記ディスクテーブル１０１上に装着固定された状態においては、前記ディスクＤの内径のばらつきを考慮して前記ディスクテーブル本体１０２の嵌合部と前記ディスクＤの内周部との間には隙間Ｘが設けられるようになている。
【００１１】
このように構成されたディスク駆動装置において、前記ディスクテーブル１０１上での前記ディスクＤの装着固定は、前記ディスクテーブル本体１０２のマグネット１０５と、前記ディスククランパ１０６の吸着板１０７との間に働く磁気的な吸引力によりなされる。そして、前記ディスクモータ１００の回転により、前記ディスクテーブル本体１０２が回転され、ディスクＤが回転するようになっている。
【００１２】
【発明が解決しようとする課題】
上述した従来のディスク駆動機構においては、次のような問題が有る。
【００１３】
前記ディスクＤを前記ディスクテーブル１０１に装着する際に、前記隙間Ｘが有ることから、前記ディスクＤのセンタ位置を前記ディスクモータ１００の回転軸１００ａのセンタ位置に一致させることは難しく、前記ディスクＤの重心位置は前記回転軸１００ａのセンタ位置から一般的にずれた位置に有る。さらに、前記ディスクＤ自体においても重心位置が前記ディスクＤのセンタに有るとは限らず、いわゆる大なり小なりの偏重心を持っている。
【００１４】
こうした前記ディスクの装着状態において、前記ディスクＤが記録及び再生のため回転を始めると、前記ディスクが回転することによって生ずる遠心力ｆが前記ディスクＤの重心部に作用して、前記隙間Ｘの範囲以内で、前記ディスクＤは前記ディスク回転軸１００ａのセンタから前記ディスクＤの重心位置がずれた方向に前記ゴムシート１０４の変形歪を伴ってずれ、ディスクのセンタリング精度を低下させるという問題が有った。
【００１５】
特に、６０℃を超えるような高温域に達すると、前記ゴムシート１０４が軟化して柔らかい状態となる。従って、前記ディスクＤの回転によって生ずる前記遠心力ｆによって、前記ゴムシート１０４の変形歪みが大きくなり、前記ディスクＤのセンタリング精度が低下するという問題が有った。
【００１６】
図５は前記ゴムシート１０４の変形状態を説明するための図で、図４の破線で囲んだ部分Ａを拡大して示す模式図である。同図に示すように、前記遠心力ｆによって前記ゴムシート１０４が前記力ｆの方向にＬの寸法分だけズレを生じる。
【００１７】
この結果、前記ディスクモータ１００の回転軸１００ａのセンタ位置と前記ディスクＤのセンタ位置のオフセット量が大きくなり、前記ディスクＤがより大きな偏心を伴って回転し、図示しないピックアップのアクチュエータ（対物レンズ）が前記ディスクＤの信号トラックに追随できなくなり、ディスクドライブ装置においては、記録時においては書き込みエラー、再生時においては読み取りエラーが時として発生するため、書き込み性能、または読み取り性能が低下するという問題が有った。
【００１８】
特に、ディスクに対する記録または再生スピードが高倍速になってきている昨今のディスクドライブ装置においては、市場で売られている一般的なディスクの持つ偏重心による影響が問題となってきているが、ディスクの重心位置がディスクセンタより比較的大きくずれた偏重心ディスクが使用された場合、高速回転に伴って前記ディスクＤに生じる前記遠心力ｆも大きくなり、センタリング精度の低下はより著しくなるという問題が有った。
【００１９】
また、前記ゴムシート１０４は、それ自体柔らかくて取り扱いが難しく、前記ディスクテーブル本体１０２面上に正確に貼り付け難いという問題が有った。
【００２０】
さらに、ゴムシート１０４の製作時の厚み精度が、一般的に±０．２ｍｍ迄と限定的となるため、結果として組み立てたディスクドライブ装置間において、前記ディスクテーブル本体１０２面から前記ゴムシート１０４を介して支持されている前記ディスクＤの主面部までの距離は前記公差内でバラツキを生じ、ディスクドライブ装置の記録または再生性能のバラツキの一要因ともなっている。
【００２１】
そこで、上述のセンタリング精度の低下を防止するためのディスク駆動機構の一例が、特開平４−２０５９５６号公報に開示されている。ここには、前記ディスクテーブル本体のディスク搭載面外周部に、凸部を設けるとともに、この凸部を設けた位置の内側に前記ディスクのスリップを防止するためのゴムシートを付設することが記載されている。
【００２２】
しかしながら、このようなディスク駆動機構においても、ゴムシートの貼り付けの作業性については依然として解決できないという問題が有った。
【００２３】
本発明は上記課題に鑑みなされたもので、ディスクテーブル本体には特別な加工を加えることなく、スリップ防止部材の貼り付けが容易で、しかもディスクＤのセンタリング精度を向上し得るディスク駆動機構及び記録、または再生の性能向上を図れるディスクドライブ装置を提供することを目的とする。
【００２４】
【課題を解決するための手段】
上記の目的を達成するために、本発明のディスク駆動機構は、ディスクを支持するためのディスクテーブルと、前記ディスクテーブルにディスクをクランプ支持するためのクランプ部材と、前記ディスクテーブルを回転させるディスクモータと、前記ディスクテーブルのディスク搭載面外周部に付設した、前記ディスクのスリップを防止するためのスリップ部材とを備えたディスク駆動機構において、前記スリップ防止部材は、弾性部材の下面にその弾性材よりも硬い部材を貼り合わせた積層構造とし、且つ前記弾性部材をディスク側に配置してなることを特徴とする。
【００２５】
本発明によれば、スリップ防止部材を、弾性部材の下面にその弾性部材よりも硬い部材を貼り合わせた積層構造としているため、弾性部材の変形が小さくなり、ディスクのセンタリング精度を安定的に向上させることができる。また、硬い部材が弾性部材の機械的補強材としての機能を有するため、スリップ防止部材の取り扱いが容易で、ディスクテーブルのディスク搭載面に正確に、しかも容易に貼り付けることができる。
【００２６】
【発明の実施の形態】
以下、本発明の実施の形態を図面を参照して説明する。
【００２７】
図１は本発明の実施の形態に係わるディスク駆動機構の構成を示す断面図、図２はディスクＤをディスクテーブルとディスククランパによって狭持した状態の要部を示す拡大断面図である。
【００２８】
図１及び図２に示すように、ディスクドライブ装置におけるシャーシ（図示略）にディスクモータ１０が固定されている。このディスクモータ１０の回転軸１０ａの上端部には、円盤状のディスクテーブル１１の本体１２が固定されている。このディスクテーブル本体１２の中央部にはディスクＤのセンタ位置を決めるための凸部１２ａがあり、この凸部１２ａの上部には吸着マグネット１５が取り付けられている。
【００２９】
また、前記ディスクテーブル本体１２の外周部上面にはディスクＤをスリップすることなく安定した状態で保持する目的で、大きな摩擦係数を有するリング状のスリップ防止部材２２が貼り付けられている。このスリップ部材２２は、弾性部材２４の下面にその弾性部材２４より硬い部材２３を張り合わせた積層構造となっていて、前記弾性部材２４が前記ディスクＤの側となるように配置されている。
【００３０】
本発明においては、前記弾性部材２４はゴムシートからなり、前記弾性部材より硬い部材２３はＰＥＴ（Ｐｏｌｙｅｔｈｅｒｅｎｅ−ｔｅｒｅｐｈｔｈａｌａｔｅ）からなっている。
【００３１】
なお、ここでは、従来の０．４ｍｍ厚のゴムシートに対して、０．２ｍｍのゴムシート、０．２ｍｍのＰＥＴシートが使用されている。
【００３２】
また、前記ディスククランパ１６は円盤状の構造となっていて、その中央部には前記ディスクテーブル本体１２の凸部１２ａに嵌合する凹部１６ａを有している。その凹部１６ａの上部には磁性部材からなる吸着板１７が付設されている。
【００３３】
このように構成されたディスク駆動機構においては、前記ディスクＤは、前記ディスクＤの穴を前記ディスクテーブル本体１２の凸部１２ａに位置合わせしてディスクテーブル本体１２に装着し、前記ディスクテーブル本体１２と前記ディスククランパ１６とで狭持され、前記マグネット１５と吸着板１７の磁気力によって狭持状態が保持される。　そして、前記ディスクＤは、前記ディスクモータ１０により回転されるようになっている。
【００３４】
上記実施の形態のディスク駆動機構によれば、前記スリップ防止部材２２としてのゴムシート２４の変形が高温環境下においても少なくできるため、安定的にディスクのセンタリング精度が向上できる。
【００３５】
また、ＰＥＴシート２３はゴムシート２４より硬質で、機械的補強材の機能を有するため、前記スリップ防止部材２２は取り扱いが容易で、前記ディスクテーブル本体１２の外周部上面に正確に貼り付けることが可能となり、貼り付けミスによるロス時間の低減と作業性が向上できる。
【００３６】
さらに、このようなディスク駆動機構を用いたディスクドライブ装置では、スリップ防止部材２２におけるゴムシート２４の変形が小さいため、記録、または再生における性能、いわゆる書き込み性能、または読み取り性能が向上できる。
【００３７】
なお、上述した実施の形態では、前記ディスクテーブル１１と前記ディスククランパ１６とで前記ディスクＤを狭持し、固定するようにしているが、前記ディスクテーブル本体１２の凸部１２ａの上部側面に、ノート型パソコン等に搭載される薄型タイプのディスクドライブ装置に使用されているような、出入可能な爪を設け、この爪によってディスクをクランプするようにしても良い。この爪もディスクをディスクテーブルにクランプする点では同じであり、本発明のクランプ部材に含むことは勿論である。
【００３８】
【発明の効果】
本発明によれば、スリップ防止部材を、ゴムシートとこのゴムシートより硬いＰＥＴシートとの積層構造にしているため、ディスクをディスクテーブルにクランプした時のセンタリング精度、特に高温環境下におけるセンタリング精度の低下を軽減することができる。また、ＰＥＴシートがゴムシートの機械的補強材として機能するため、スリップ防止部材の取り扱いが容易で、ディスクテーブルに正確に貼り付けることができるとともに、その貼り付け作業性も向上できる。
【００３９】
さらに、本発明のディスク駆動機構をディスクドライブ装置に用いると、高温環境下においてもディスクのセンタリング精度の向上が得られることから、ディスクの記録、または再生時の例えば書き込みエラー、または読み取りエラーの発生の低減ができ、記録、または再生の性能向上ができる。
【図面の簡単な説明】
【図１】本発明の実施の形態に係わるディスク駆動機構の構成を示す断面図。
【図２】ディスクをディスクテーブルとディスククランパによって狭持した状態の要部を示す拡大断面図。
【図３】従来のディスク駆動機構の構成を示す断面図。
【図４】ディスクをディスクテーブルとディスククランパによって狭持状態の要部を示す拡大断面図。
【図５】図４における破線で囲んだ部分Ａを拡大して示す模式図。
【図６】一般的なディスク駆動機構の構成を示す斜視図。
【図７】図６の断面図。
【図８】ディスクがディスクテーブルに支持された状態を示す断面図。
【符号の説明】
１０、１００　ディスクモータ
１０ａ、１００ａ　ディスクモータの回転軸
１１、１０１　ディスクテーブル
１２、１０２　ディスクテーブル本体
１２ａ　凸部
１５、１０５　マグネット
１６、１０６　ディスククランパ
１６ａ　凹部
１７、１０７　吸着板
２２　スリップ防止部材
２３　ＰＥＴシート
２４，１０４　ゴムシート
Ｄ　ディスク
ｆ　遠心力
Ｌ　スリップ防止ゴムシートの変形ズレ量
Ｘ　ディスクテーブルとディスクのクランプ時の隙間
【図１】
2004079107.tif 000003
【図２】
2004079107.tif 000004
【図３】
2004079107.tif 000005
【図４】
2004079107.tif 000006
【図５】
2004079107.tif 000007
【図６】
2004079107.tif 000008
【図７】
2004079107.tif 000009
【図８】
2004079107.tif 000010